(57)【要約】  本発明は、ノードによって転送される無線信号及び／又はノードによってサービングされる移動端末によって転送される無線信号の電力を設定する方法に関する。ノードは、少なくとも１つの近隣ノードから、当該近隣ノードによって転送される無線信号及び／又は当該近隣ノードによってサービングされる移動端末によって転送される無線信号の電力を設定するために当該近隣ノードによって用いられる少なくとも１つのパラメータ値を受信し、少なくともこのパラメータ値から、ノードによって用いられるパラメータ値を求め、求められたパラメータ値に従って、ノードによって転送される無線信号の電力及び／又はノードによってサービングされる移動端末によって転送される無線信号の電力補正を設定し、少なくとも求められたパラメータ値を少なくとも１つの近隣ノードに転送する。
2014514809.tif 000002
【特許請求の範囲】
【請求項１】
無線セルラー通信ネットワークにおいて、ノードによって転送される無線信号及び／又はノードによってサービングされる移動端末によって転送される無線信号の電力を設定する方法であって、該方法は、前記ノードによって実行されるステップであって、
−  少なくとも１つの近隣ノードから、該近隣ノードによって転送される無線信号及び／又は該近隣ノードによってサービングされる移動端末によって転送される無線信号の電力を設定するために該近隣ノードによって用いられる少なくとも１つのパラメータ値を受信するステップと、
−  少なくとも前記パラメータ値から、前記ノードによって転送される無線信号の電力及び／又は前記ノードによってサービングされる移動端末によって転送される無線信号の電力補正を設定するために前記ノードによって用いられるパラメータ値を求めるステップと、
−  前記求められたパラメータ値に従って、前記ノードによって転送される無線信号の電力及び／又は前記ノードによってサービングされる移動端末によって転送される無線信号の電力補正を設定するステップと、
−  少なくとも前記求められたパラメータ値を、前記少なくとも１つの近隣ノードに転送するステップと、
−  前記ノードが移動端末をサービングすることができない状態に移行した場合、又は前記ノードによってサービングされる少なくとも１つの移動端末の状態の変化が検出された場合、又は前記ノードが少なくとも１つの移動端末をサービングすることができる状態に移行した場合に、前記少なくとも１つの近隣ノードに前記パラメータ値の所定の値を転送するステップと
を含むことを特徴とする、無線セルラー通信ネットワークにおいて、ノードによって転送される無線信号及び／又はノードによってサービングされる移動端末によって転送される無線信号の電力を設定する方法。
【請求項２】
前記ノードは、少なくとも２つの近隣ノードから、該近隣ノードによって転送される無線信号及び／又は該近隣ノードによってサービングされる移動端末によって転送される無線信号の電力を設定するために該近隣ノードによって用いられる１つのパラメータ値を受信し、
前記ノードによって転送される無線信号及び／又は前記ノードによってサービングされる移動端末によって転送される無線信号の電力を設定するために前記ノードによって用いられる前記パラメータ値は、前記少なくとも２つのパラメータ値から求められることを特徴とする、請求項１に記載の方法。
【請求項３】
前記求められたパラメータ値は、前記受信されたパラメータ値の逆数の和に反比例することを特徴とする、請求項１又は２に記載の方法。
【請求項４】
前記方法は、前記ノード及び前記近隣ノードと前記ノードによってサービングされる移動端末との間のリンク状態に関するパラメータを取得するステップを更に含み、前記求められたパラメータ値は、前記パラメータに依存することを特徴とする、請求項３に記載の方法。
【請求項５】
前記リンク状態は、前記ノードによってサービングされる移動端末の中で最悪の信号対雑音プラス干渉比を有する移動端末と前記ノードとの間のパス利得であり、前記リンク状態は、前記近隣ノードと前記ノードによってサービングされる移動端末との間のパス利得を更に含むことを特徴とする、請求項４に記載の方法。
【請求項６】
前記ノードによって転送される無線信号及び／又は前記ノードによってサービングされる移動端末によって転送される無線信号の電力は、前記ノードによってサービングされる移動端末の中で最悪の信号対雑音プラス干渉比を有する移動端末と前記ノードとの間のパス利得、及び前記近隣ノードと前記ノードによってサービングされる移動端末との間のパス利得、及び／又は前記近隣ノードによってサービングされる移動端末と前記ノードとの間のパス利得に従って設定されることを特徴とする、請求項５に記載の方法。
【請求項７】
前記方法は、前記ノードが少なくとも１つの移動端末をサービングすることができる状態に移行すると実行されるステップであって、前記少なくとも２つの近隣ノードに前記所定のパラメータ値を転送するステップを更に含むことを特徴とする、請求項１に記載の方法。
【請求項８】
前記ノードによって転送される無線信号の電力及び／又は前記ノードによってサービングされる移動端末によって転送される無線信号の電力補正は、最悪の信号干渉プラス雑音比に従って設定されることを特徴とする、請求項１〜７のいずれか一項に記載の方法。
【請求項９】
近隣ノードによって用いられる１つのパラメータ値が所与の時間期間の間に受信されない場合、前記方法は、前記１つのパラメータ値をヌル値に設定するステップを含むことを特徴とする、請求項１〜８のいずれか一項に記載の方法。
【請求項１０】
前記パラメータ値は、前記ノードと前記少なくとも１つの近隣ノードとをリンクするバックボーンネットワークを通じて受信及び転送されることを特徴とする、請求項１〜９のいずれか一項に記載の方法。
【請求項１１】
前記パラメータ値は、無線信号の形態で受信及び転送されることを特徴とする、請求項１〜１０のいずれか一項に記載の方法。
【請求項１２】
無線セルラー通信ネットワークにおいて、ノードによって転送される無線信号及び／又はノードによってサービングされる移動端末によって転送される無線信号の電力を設定するデバイスであって、該送信電力を設定するデバイスは、前記ノードに含まれ、
−  少なくとも１つの近隣ノードから、該近隣ノードによって転送される無線信号及び／又は該近隣ノードによってサービングされる移動端末によって転送される無線信号の電力を設定するために該近隣ノードによって用いられる少なくとも１つのパラメータ値を受信する手段と、
−  少なくとも前記パラメータ値から、前記ノードによって転送される無線信号及び／又は前記ノードによってサービングされる移動端末によって転送される無線信号の電力を設定するために前記ノードによって用いられるパラメータ値を求める手段と、
−  前記求められたパラメータ値に従って、前記ノードによって転送される無線信号及び／又は前記ノードによってサービングされる移動端末によって転送される無線信号の電力を設定する手段と、
−  前記求められたパラメータ値を、少なくとも１つの近隣ノードに転送する手段と、
−  前記ノードが移動端末をサービングすることができない状態に移行した場合、又は前記ノードによってサービングされる少なくとも１つの移動端末の状態の変化が検出された場合、又は前記ノードが少なくとも１つの移動端末をサービングすることができる状態に移行した場合に、前記少なくとも１つの近隣ノードに前記パラメータ値の所定の値を転送する手段と
を備えることを特徴とする、無線セルラー通信ネットワークにおいて、ノードによって転送される無線信号及び／又はノードによってサービングされる移動端末によって転送される無線信号の電力を設定するデバイス。
【発明の詳細な説明】
【技術分野】
【０００１】
本発明は、包括的には、ノードによって無線インターフェースを通じて転送される、及び／又はノードによってサービングされている移動端末によって転送される、信号の電力を設定する方法及びデバイスに関する。
【背景技術】
【０００２】
無線セルラー通信ネットワークは大規模にデプロイされているが、無線セルラー通信ネットワークの基地局によってカバーされていない幾つかのエリアが依然として存在する。基地局は、所与の計画に従って事業者によってデプロイされる。
【０００３】
例えば、基地局及び／又は移動端末によって放射される信号が過度に減衰される場合、無線セルラー通信ネットワークへのアクセスは可能でない場合もあるし、過度に高い送信電力又は過度に低いスペクトル効率、すなわち建物内に位置する移動端末にとって過度に多くのシステムリソースを要する場合もある。
【０００４】
今日では、解決策が提案されている。本明細書においてこれ以降ホーム基地局と呼ばれる、フェムト基地局若しくはピコ基地局又は中継器のように、必ずしも事業者によってデプロイされるとは限らず、したがって所与の計画に従うとは限らない特定の基地局が大規模にデプロイされ、建物及び基地局オフロード内においてカバレッジエリアを提供することができる。中継器は、屋外のカバレッジ拡張をもたらすことができる。
【０００５】
基地局及びホーム基地局は、無線セルラー通信ネットワークのノードである。
【０００６】
ホーム基地局のそのような大量のデプロイは、無線セルラー通信ネットワークの全体的な電力消費を増加させる。
【０００７】
そこで、今日、節電が無線セルラー通信ネットワークの主要な課題となっている。その場合、ホーム基地局が移動端末に対する良好なサービス品質を維持しながら過大な電力を消費しないことが必要である。
【０００８】
ホーム基地局は、限られた数の移動端末がそれぞれのリソースを通じて無線セルラー通信ネットワークにアクセスすることを可能にする。ホーム基地局を通じてネットワークのリソースにアクセスすることが可能になる移動端末は、ホーム基地局の所有者、ネットワーク、又はそれらの双方の組み合わせによって決定することができる。
【０００９】
ここで、所有者とは、一般的な意味に理解されなければならない。すなわち、所有者はホーム基地局の主要なユーザのみである場合もあるし、所有者はホーム基地局をレンタルする者である場合もあるし、所有者はホーム基地局を自宅又は自身のオフィスに収容する者である場合もある。
【００１０】
例えば、ホーム基地局の所有者とその家族の移動端末のみが、そのホーム基地局を通じて無線セルラー通信ネットワークにアクセスすることができる。それらの移動端末は、ホーム基地局に関連付けられている。
【００１１】
さらに、ホーム基地局は、常に電源が投入されていない場合がある。電力エネルギーを節約するために、ホーム基地局の所有者が電源オフ状態に切り替えることを決定する場合もあるし、ホーム基地局が電源オフ状態に切り替わるように構成されている場合もある。
【００１２】
ホーム基地局が電源オフ状態から電源オン状態に移行すると、そのホーム基地局は、自身の近くを移動する移動端末と、それらの移動端末をサービングする基地局又はホーム基地局との間の無線リンク状態を突然変化させる場合がある。
【００１３】
同様の電源オン／電源オフの変化は、基地局にも現われる場合がある。
【発明の概要】
【発明が解決しようとする課題】
【００１４】
本発明は、移動端末に対して最小のサービス品質を保証しつつ、無線セルラー通信ネットワークの全体的な電力消費を削減することを目的とする。
【課題を解決するための手段】
【００１５】
本発明は、無線セルラー通信ネットワークにおいて、ホーム基地局によって転送される無線信号及び／又はノードによってサービングされる移動端末によって転送される無線信号の電力を設定する方法に関する。この方法は、
−  少なくとも１つの近隣ノードから、当該近隣ノードによって転送される無線信号及び／又は当該近隣ノードによってサービングされる移動端末によって転送される無線信号の電力を設定するために当該近隣ノードによって用いられる少なくとも１つのパラメータ値を受信するステップと、
−  少なくとも上記パラメータ値から、ノードによって転送される無線信号及び／又はノードによってサービングされる移動端末によって転送される無線信号の電力を設定するためにノードによって用いられるパラメータ値を求めるステップと、
−  求められたパラメータ値に従って、ノードによって転送される無線信号及び／又はノードによってサービングされる移動端末によって転送される無線信号の電力を設定するステップと、
−  求められたパラメータ値を、上記少なくとも２つの近隣ノードに転送するステップと
を含むことを特徴とする。
【００１６】
また、本発明は、無線セルラー通信ネットワークにおいて、ノードによって転送される無線信号及び／又はノードによってサービングされる移動端末によって転送される無線信号の電力を設定するデバイスにも関する。この送信電力を設定するデバイスは、ノードに含まれ、
−  少なくとも１つの近隣ノードから、当該近隣ノードによって転送される無線信号及び／又は当該近隣ノードによってサービングされる移動端末によって転送される無線信号の電力を設定するために当該近隣ノードによって用いられる少なくとも１つのパラメータ値を受信する手段と、
−  少なくとも上記パラメータ値から、ノードによって転送される無線信号及び／又はノードによってサービングされる移動端末によって転送される無線信号の電力を設定するためにノードによって用いられるパラメータ値を求める手段と、
−  求められたパラメータ値に従って、ノードによって転送される無線信号及び／又はノードによってサービングされる移動端末によって転送される無線信号の電力を設定する手段と、
−  求められたパラメータ値を、少なくとも１つの近隣ノードに転送する手段と
を備えることを特徴とする。
【００１７】
したがって、ノードによって転送される無線信号及び／又はノードによってサービングされる移動端末によって転送される無線信号の放射電力の最小化は、そのノードの少なくとも１つの近隣ノードの放射電力を考慮に入れる。
【００１８】
特定の特徴によれば、求められたパラメータ値は、受信されたパラメータ値の逆数の和に反比例することを特徴とする。
【００１９】
したがって、求められた各パラメータは、近隣ノードの受信された少なくとも１つのパラメータの中の最も低いパラメータ値によって主に駆動されるので、上記最小化プロセスの全体的な収束が高められる。
【００２０】
特定の特徴によれば、ノード及び近隣ノードとノードによってサービングされる移動端末との間のリンク状態に関するパラメータが取得され、求められたパラメータ値は、パラメータに依存する。
【００２１】
したがって、求められるパラメータの決定には、重要な干渉ノード、及び／又は近隣ノードによってサービングされる重要な干渉端末がより重要視される。
【００２２】
特定の特徴によれば、リンク状態は、ノードによってサービングされる移動端末の中で最悪の信号対雑音プラス干渉比を有する移動端末とノードとの間のパス利得であり、リンク状態は、近隣ノードとノードによってサービングされる移動端末との間のパス利得を更に含む。
【００２３】
したがって、放射電力最小化手順は、ノードによってサービングされる移動端末の最小許容可能信号対干渉プラス雑音比を達成するように行われ、そのように行うことによって、呼損が削減され、上記セルエッジ移動端末に関する良好なサービス品質が達成される。
【００２４】
特定の特徴によれば、ノードによって転送される無線信号及び／又はノードによってサービングされる移動端末によって転送される無線信号の電力は、ノードによってサービングされる移動端末の中で最悪の信号対雑音プラス干渉比を有する移動端末とノードとの間のパス利得、及び近隣ノードとノードによってサービングされる移動端末との間のパス利得、及び／又は近隣ノードによってサービングされる移動端末とノードとの間のパス利得に従って設定される。
【００２５】
したがって、求められたパラメータは、ダウンリンク及び／又はアップリンクの双方において、ノードによってサービングされる移動端末に関する最小許容可能信号対雑音干渉比及び良好なサービス品質を達成するように設定される。
【００２６】
全体的電力最小化手順は、セルにおいて最悪の性能を受けているホーム基地局によってサービングされる移動端末に対して良好なサービス品質を確保する。
【００２７】
特定の特徴によれば、ノードが移動端末をサービングすることができない状態に移行する前に、ノードは少なくとも２つの近隣ノードにパラメータ値の所定の値を転送する。
【００２８】
したがって、放射電力最小化手順は、ノードがオフになることを考慮に入れるように、求められるパラメータの決定を動的に適合させる。
【００２９】
特定の特徴によれば、ノードは、ノードによってサービングされる少なくとも１つの移動端末の状態の変化を検出し、ノードによってサービングされる少なくとも１つの移動端末の状態の変化が検出された場合に、少なくとも２つの近隣ノードに所定のパラメータ値を転送する。
【００３０】
したがって、放射電力最小化手順は、移動端末の移動及び／又はアイドル状態を考慮に入れるように、求められるパラメータの決定を動的に適合させる。
【００３１】
特定の特徴によれば、ノードは、少なくとも１つの移動端末をサービングすることができる状態に移行すると、少なくとも２つの近隣ノードに所定のパラメータ値を転送する。
【００３２】
したがって、放射電力最小化手順は、ノードがオンになることを考慮に入れるように、求められるパラメータの決定を動的に適合させる。
【００３３】
特定の特徴によれば、近隣ノードによって用いられる１つのパラメータ値が所与の時間期間の間に受信されない場合、ノードは１つのパラメータ値をヌル値に設定する。
【００３４】
したがって、アクティブなノード及び古くないパラメータのみが、求められるパラメータの決定に考慮に入れられる。
【００３５】
特定の特徴によれば、パラメータ値は、ノードと少なくとも２つの近隣ノードとをリンクするバックボーンネットワークを通じて受信及び転送されるか、又はパラメータ値は、無線信号の形態で受信及び転送される。
【００３６】
したがって、パラメータ値がバックボーンネットワークを通じて受信及び転送されるとき、本発明によって、全体的電力最小化手順は、ノードが無線信号を通じて少なくとも２つの近隣ノードと通信することができない場合であっても、ノードによってサービングされる移動端末に対して良好なサービス品質を確保することが可能になる。
【００３７】
パラメータ値が無線信号の形態で受信及び転送される場合、少なくとも２つの近隣ノードとノードとの間のバックボーン接続を確立する必要がなく、上記手順のレイテンシが最小化される。
【００３８】
更に別の態様によれば、本発明は、プログラム可能デバイス内に直接ロード可能とすることができるコンピュータプログラムであって、このコンピュータプログラムがプログラム可能デバイスにおいて実行されると、本発明による方法のステップを実施する命令又はコード部を含む、コンピュータプログラムに関する。
【００３９】
また、本発明は、記憶された情報がコンピュータによって読み出され、プロセッサによって実行されるときに、種々の実施形態のうちのいずれか１つにおいて上記の方法を実施するようにプロセッサによって実行することができる１組の命令を含むコンピュータプログラムを記憶する情報記憶手段にも関する。
【００４０】
コンピュータプログラムに関する特徴及び利点は、本発明による方法及び装置に関連して上述したものと同じであるので、ここでは繰り返さないことにする。
【００４１】
本発明の特徴は、一例の実施形態の以下の説明を読むことによってより明らかになるであろう。この説明は添付図面に関して作成されたものである。
【図面の簡単な説明】
【００４２】
【図１】本発明が実施される無線セルラー通信ネットワークを表す図である。
【図２】本発明が実施されるノードのアーキテクチャを表す図である。
【図３】本発明による、各ノードによって実行されるダウンリンク信号送信電力調整のアルゴリズムを開示する図である。
【図４】本発明による、各ノードによって実行されるアップリンク信号送信電力調整のアルゴリズムを開示する図である。
【図５】各ノードによって、自身が移動端末をサービングすることができない状態に移行するときに実行されるアルゴリズムを開示する図である。
【発明を実施するための形態】
【００４３】
図１は、本発明が実施される無線セルラー通信ネットワークを表している。
【００４４】
図１には、無線セルラー通信ネットワークの５つのノードＮｄ１、Ｎｄ２、Ｎｄ３、Ｎｄ４、及びＮｄ５が示されている。
【００４５】
５つのノードＮｄ１〜Ｎｄ５しか示されていないが、本発明はこれよりも多くの又は少ない数の基地局ＢＳ及び／又はノードＮｄが存在するときにも機能することを理解されたい。
【００４６】
ノードＮｄは、バックボーンネットワークによってリンクされる。バックボーンネットワークは、例えば、ＤＳＬ（ディジタル加入者線）ネットワーク又はＩＳＤＮ（統合サービスディジタルネットワーク）とすることができる。
【００４７】
ノードＮｄ１〜Ｎｄ５は、それぞれのセルＣＥＢＨ１〜ＣＥＨＢ５に位置している移動端末ＭＴをサービングする無線セルラー通信ネットワークのノードである。
【００４８】
ノードＮｄ１は移動端末ＭＴ１１をサービングし、ノードＮｄ３は移動端末ＭＴ３１とＭＴ３２をサービングする。
【００４９】
明瞭にするために、図１には３つの移動端末ＭＴ１１、ＭＴ３１、及びＭＴ３２しか示されていないが、本発明はこれよりも多くの又は少ない数の移動端末が存在するときにも機能することを理解されたい。
【００５０】
既に説明したように、ノードＮｄ１〜Ｎｄ５は、基地局、フェムト基地局又はピコ基地局、又は中継器とも呼ばれる。
【００５１】
例えば、中継器は、図１には示されていない無線セルラー通信ネットワークの基地局と無線リンクを介して無線セルラー通信ネットワークに接続されているノードＮｄである。
【００５２】
各ノードＮｄ１〜Ｎｄ５は、そのノードがホーム基地局であるとき、住宅内に配置されることができ、そのノードＮｄに関連付けられる移動端末ＭＴが無線セルラー通信ネットワークにアクセスすることを可能にすることができる。
【００５３】
例えば、ノードＮｄと移動端末ＭＴは、そのノードがホーム基地局であるときは、ノードＮｄが移動端末ＭＴの所有者の所有物である場合、又はノードＮｄが移動端末ＭＴの所有者の家族若しくは友人の所有物である場合、関連付けられる。
【００５４】
移動端末ＭＴがノードＮｄによってサービングされるとき、その移動端末ＭＴはノードＮｄを通じて遠隔の通信デバイスとの通信を受信又は確立又は継続することができる。
【００５５】
ノードＮｄ１は、エリア、すなわちセルＣＥＨＢ１に位置している移動端末ＭＴ１１によって転送された信号を受信することができる。ノードＮｄ１は、セルＣＥＨＢ１に位置している移動端末ＭＴ１１が受信して処理することができる信号を転送する。ノードＮｄ３は、エリア、すなわちセルＣＥＨＢ３に位置している移動端末ＭＴ３１とＭＴ３２によって転送された信号を受信することができる。ノードＮｄ３は、セルＣＥＨＢ３に位置している移動端末ＭＴ３１とＭＴ３２が受信して処理することができる信号を転送する。
【００５６】
図１の例では、各ノードＮｄ１〜Ｎｄ５は、１つのセルＣＥＨＢ１〜ＣＥＨＢ５のみを有している。本発明は、少なくとも１つのノードＮｄが複数のセルを有する場合にも適用可能である。
【００５７】
本発明によれば、各ノードＮｄは、当該ノードによって転送される無線信号、及び／又は当該ノードによってサービングされる移動端末によって転送される無線信号の電力を、
−  少なくとも１つの近隣ノードから、当該近隣ノードによって転送される無線信号及び／又は当該近隣ノードによってサービングされる移動端末によって転送される無線信号の電力を設定するために当該近隣ノードによって用いられる少なくとも１つのパラメータ値を受信することと、
−  少なくとも上記パラメータ値から、上記ノードによって転送される無線信号及び／又は上記ノードによってサービングされる移動端末によって転送される無線信号の電力を設定するために上記ノードによって用いられるパラメータ値を求めることと、
−  上記求められたパラメータ値に従って、上記ノードによって転送される無線信号及び／又は上記ノードによってサービングされる移動端末によって転送される無線信号の電力を設定することと、
−  少なくとも上記求められたパラメータ値を、上記少なくとも１つの近隣ノードに転送することと
によって設定する。
【００５８】
図２は、本発明が実施されるノードのアーキテクチャを表す図である。
【００５９】
ノードＮｄは、例えば、バス２０１によって互いに接続される構成要素と、図３、図４、及び図５に開示するようなプログラムによって制御されるプロセッサ２００とに基づくアーキテクチャを有している。
【００６０】
バス２０１は、プロセッサ２００を、読み出し専用メモリＲＯＭ２０２、ランダムアクセスメモリＲＡＭ２０３、無線インターフェース２０５にリンクする。バス２０１は、プロセッサ２００をネットワークインターフェース２０６にリンクすることもできる。
【００６１】
メモリ２０３は、近隣ノードの識別子とそれら近隣ノードから受信されたパラメータ値とをリンクするテーブルと共に、変数と、図３、図４、及び図５に開示するようなアルゴリズムに関連したプログラムの命令とを収容するように意図されたレジスタを含む。
【００６２】
プロセッサ２００は、ネットワークインターフェース２０６の動作を制御し、無線インターフェース２０５の動作を制御することもできる。
【００６３】
読み出し専用メモリ２０２は、図３、図４、及び図５に開示するようなアルゴリズムに関連したプログラムの命令を含む。これらの命令は、ノードＮｄに電源が投入されると、ランダムアクセスメモリ２０３に転送される。
【００６４】
ノードＮｄは、ネットワークインターフェース２０６を通じてバックボーンネットワークに接続することができる。例えば、ネットワークインターフェース２０６は、ＤＳＬモデム又はＩＳＤＮインターフェース等である。ネットワークインターフェース２０６を通じて、ノードＮｄはメッセージを無線セルラー通信ネットワークのコアネットワークに転送することができ、又はパラメータ値を近隣ノードＮｄに転送若しくは受信する。
【００６５】
無線インターフェース２０５は、本発明に従って設定された送信電力に応じてアップリンク信号を転送する手段を備えている。
【００６６】
無線インターフェース２０５は、本発明によるパラメータ値を転送する手段を備えることもできる。
【００６７】
ネットワークインターフェース２０６の機能は、例えば、ノードＮｄが中継器として動作するとき、無線インターフェース２０５によって実行することもできる。
【００６８】
無線インターフェース２０５とネットワークインターフェース２０６は、移動端末ＭＴが遠隔の通信デバイスとの通信を確立又は受信する際に、無線セルラー通信ネットワークにアクセスするために移動端末ＭＴによって用いられるノードＮｄのリソースである。
【００６９】
図３又は図４に関して本明細書において後に説明されるアルゴリズムのありとあらゆるステップは、ＰＣ（パーソナルコンピュータ）、ＤＳＰ（ディジタルシグナルプロセッサ）若しくはマイクロコントローラのようなプログラム可能な計算機によって１組の命令若しくはプログラムを実行することによってソフトウェアとして実装することもできるし、或いはＦＰＧＡ（フィールドプログラマブルゲートアレイ）若しくはＡＳＩＣ（特定用途向け集積回路）のような、機械若しくは専用構成要素によってハードウェアとして実装することもできる。
【００７０】
図３は、本発明による、各ノードによって実行されるダウンリンク信号送信電力調整のアルゴリズムを開示している。
【００７１】
より正確には、本アルゴリズムは、各ノードＮｄのプロセッサ２００によって実行される。
【００７２】
ステップＳ３００において、プロセッサ２００は、ノードＮｄｉの切り替えを検出する。ここで、ｉは電源オン状態になったノードＮｄｉのインデックスを示す。この状態においては、ノードＮｄｉは自身のノードＮｄｉのセルＣＥＨＢに位置している移動端末ＭＴをサービングすることができる。
【００７３】
次のステップＳ３０１において、プロセッサ２００は、近隣ノードＮｄによってそれぞれのセルＣＥＨＢ内で転送する無線信号の電力を求めるために用いられるパラメータｔｉＤの初期値をＲＯＭメモリ内から読み取る。
【００７４】
例えば、ノードＮｄｉのパラメータｔｉＤの初期値は、低い値、例えばパラメータｔｉＤが取ることができる最大値の２０未満に設定される。
【００７５】
次のステップＳ３０２において、プロセッサ２００は、パラメータ値ｔｉＤを、ネットワークインターフェース２０６を通じてノードＮｄｉの近隣ノードＮｄｊに転送することを指示する。
【００７６】
同じステップにおいて、プロセッサ２００は、以下で開示する他のパラメータ
【数１】
2014514809.tif 000003
とαｉ，ｕ，ｊを転送することを指示する。
【００７７】
例えば、プロセッサ２００は、各近隣ノードＮｄを識別する情報をＲＡＭメモリ２０３内から読み取り、パラメータ値ｔｉＤと他のパラメータを、識別された各近隣ノードＮｄにバックボーンネットワーク及びネットワークインターフェース２０６を通じて転送することを指示する。
【００７８】
近隣ノードＮｄは、そのセルＣＥＨＢがノードＮｄｉのセルＣＥＨＢｉに隣接するか及び／又は重なり合うノードＮｄである。
【００７９】
第１の変形形態によれば、パラメータｔｉＤの計算は、セルＣＥＨＢｉ内の最悪のＳＩＮＲに対応する移動端末ＭＴから受信された測定値に基づいて行われる。
【００８０】
本発明の第２の変形実現形態によれば、各近隣ノードＮｄを識別する情報は、ノードＮｄによってサービングされる移動端末ＭＴによって転送された測定報告から導出されるか、又はノードＮｄによってサービングされる移動端末ＭＴについて行われたハンドオーバを監視することによって導出される。
【００８１】
本発明の第３の変形実現形態によれば、パラメータ値ｔｉＤと他のパラメータは、セルＣＥＨＢｉ内でブロードキャストされ、近隣ノードＮｄによって受信される。
【００８２】
パラメータ値ｔｉＤと他のパラメータは、近隣ノードＮｄが直接受信することもできるし、ノードＮｄによってサービングされる移動端末ＭＴが復号して転送することもできる。
【００８３】
本発明の第４の変形実現形態によれば、パラメータｔｉＤと他のパラメータは、ノードＮｄ間のブロードキャスト無線チャネルを通じて転送される。
【００８４】
第４の変形形態の特定の実現態様によれば、パラメータｔｉＤと他のパラメータは、ランダムゴシップ（random gossip）手法を用いて転送される。
【００８５】
その場合、全てのノードＮｄは、同一のリソースを用いてパラメータｔｉＤを送信又は受信する。
【００８６】
各ノードＮｄは、自身の受信状態又は送信状態をランダムに選ぶ。
【００８７】
次のステップＳ３０３において、プロセッサ２００は、各近隣ノードＮｄｊがそれぞれのセル内で転送するダウンリンク信号を電力調整するために現在用いている各パラメータｔｊＤ値の受信を検出する。各パラメータｔｊＤ値は、ネットワークインターフェース２０６又は無線インターフェース２０５を通じて受信される。
【００８８】
次のステップＳ３０５において、プロセッサ２００は、ノードＮｄｉと、当該ノードＮｄｉによってサービングされる各移動端末ＭＴとの間の無線リンクに関連する少なくとも他のパラメータを取得する。
【００８９】
例えば、他のパラメータは、ノードＮｄｊと、ノードＮｄｉによってサービングされる各移動端末Ｍｔｉ，ｌとの間のダウンリンクパス利得αｉ，ｌ，ｊを含む。ここで、ｌはノードＮｄｉによってサービングされる第ｌの移動端末のインデックスを示す。
【００９０】
ダウンリンクチャネルは、信号がノードＮｄから当該ノードＮｄによってサービングされる移動端末ＭＴに転送される無線リンクである。
【００９１】
他のパラメータは、例えば、Ｎｄｊのシステム情報ブロック（ＳＩＢ）で転送される、各近隣ノードＮｄｊを識別する情報を更に含むこともできる。
【００９２】
他のパラメータは、以下で開示するパラメータ
【数２】
2014514809.tif 000004
とαｊ，ｕ，ｉを含む。
【００９３】
ノードＮｄｉは、統計を構築し及び／又は近隣の状態の突然の変更を検出するために、受信された最新のパラメータをテーブル内に格納してこれら格納した値をｔｉＤパラメータの更新に用いるか、又は受信された瞬時のパラメータｔｉＤ値のみを用いる。
【００９４】
このテーブルは、１つの近隣ノードから受信された複数の受信パラメータ値を、これら受信パラメータを送信した近隣ノードＮｄを識別する情報と相互にリンクする。
【００９５】
このテーブルは、受信された各パラメータ値ｔｉＤについて、パラメータ値ｔｉＤの受信時刻を示すタイムスタンプを更に含むことができる。
【００９６】
次のステップＳ３０６において、プロセッサ２００は、少なくとも１つのパラメータ値ｔｉＤがステップＳ３０３において受信されていないか否かを調べる。
【００９７】
プロセッサ２００は、例えば、テーブルに格納されているタイムスタンプが過度に古いか否かを調べることによって、少なくとも１つのパラメータ値ｔｊＤが受信されていないか否かを調べる。例えば、現在の時刻とタイムスタンプ値との間の差が、所定の値、例えば１分よりも大きいか否かを調べる。
【００９８】
少なくとも１つのパラメータ値ｔｊＤがステップＳ３０３において受信されていなかった場合、プロセッサ２００はステップＳ３０７に進む。
【００９９】
受信されている場合、プロセッサ２００はステップＳ３０８に進む。
【０１００】
ステップＳ３０７において、プロセッサ２００は、過度に古い各タイムスタンプに関連付けられているパラメータ値ｔｊＤを所定の値に設定する。例えば、パラメータ値ｔｊＤは、低い値、例えばパラメータ値ｔｊＤが取ることができる最大値の２０未満又はヌル値に設定される。
【０１０１】
その後、プロセッサ２００はステップＳ３０８に進む。
【０１０２】
ここで、一変形形態では、プロセッサ２００は、ステップＳ３０６を実行せず、ステップＳ３０５からステップＳ３０８に進むことに留意されたい。
【０１０３】
次のステップＳ３０８において、プロセッサ２００は、セルＣＥＨＢｉ内でノードＮｄｉによって転送される無線信号の電力を設定するためにノードＮｄｉによって用いられるパラメータ値ｔ’Ｄｉを求める。
【０１０４】
例えば、パラメータ値ｔ’Ｄｊは、少なくとも近隣ノードＮｄによって転送されるパラメータ値ｔＤｊから、以下の式に従って求められる。
【数３】
2014514809.tif 000005
ただし、Ωｉは、第ｉのノードＮｄｉの近隣ノードＮｄのインデックスの集合（濃度ｎｉ）であり、ｆ（）は、更新の処理を可能にするコンセンサス関数である。
【０１０５】
第１の例によれば、ｆ（）は、以下の式のように選ぶことができる。
【数４】
2014514809.tif 000006
【０１０６】
第２の例によれば、ｆ（）は、ノードＮｄｊ及びＮｄｉと、ノードＮｄｉによってサービングされる移動端末ＭＴの中で最小のＳＩＮＲを有する第ｕの移動端末との間のダウンリンクパス利得に更に依存する。ｆ（）は、以下の式のように選ぶことができる。
【数５】
2014514809.tif 000007
ただし、αｉ，ｕ，ｊは、ノードＮｄｊと、ノードＮｄｉによってサービングされる移動端末ＭＴの中で最小のＳＩＮＲを有する第ｕの移動端末ＭＴｉ，ｕとの間のダウンリンクパス利得を示す。αｉ，ｕ，ｉは、ノードＮｄｉと、当該ノードＮｄｉによってサービングされる移動端末ＭＴの中で最悪のＳＩＮＲを受ける第ｕの移動端末との間のダウンリンクパス利得を示す。ＰｉＤは、セルＣＥＨＢｉ内でノードＮｄｉによって転送される無線信号の電力である。ＰｊＤは、セルＣＥＨＢｊ内でノードＮｄｊによって転送される無線信号の電力である。
【０１０７】
第３の例によれば、ｆ（）は、以下の式のように選ぶことができる。
【数６】
2014514809.tif 000008
ただし、０＜μｉＤ＜１であり、μｉＤは、ダウンリンク信号送信の時間減少関数とすることができる。
【０１０８】
第４の例によれば、ｆ（）は、以下のように選ぶことができる。
【数７】
2014514809.tif 000009
【０１０９】
最後に、プロセッサ２００は、パラメータ値ｔｉＤをパラメータｔ’ｉＤに設定する。
【０１１０】
次のステップＳ３０９において、プロセッサ２００は、セルＣＥＨＢｉにおいてノードＮｄｉによって転送される無線信号の新たな電力ＰｉＤを計算する。
【０１１１】
ノードＮｄｉの電力ＰｉＤは、例えば、その近隣ノードに基づく効用関数ＧｉＤの最適化、すなわち、以下の式を計算することによって求められる。
【数８】
2014514809.tif 000010
【０１１２】
最小化は、ノードＮｄｉによってサービングされる移動端末ＭＴｉ，ｕが受ける最悪のダウンリンクＳＩＮＲの最小許容値γｉＤによって表される、ダウンリンクにおけるカバレッジの制約の下、すなわち、以下の式の下で行われる。
【数９】
2014514809.tif 000011
【０１１３】
ダウンリンクに関する最適化を処理するために、本発明は以下のような対数バリア法を用いる。ノードＮｄｉは、各近隣ノードＮｄｊからパラメータ
【数１０】
2014514809.tif 000012
とαｊ，ｕ，ｉを取得する。ノードＮｄｉは、取得されたパラメータ
【数１１】
2014514809.tif 000013
とαｊ，ｕ，ｉ、及び以前に求められたパラメータｔｉＤの関数として、パラメータλｉＤを計算する。
【数１２】
2014514809.tif 000014
及び
【数１３】
2014514809.tif 000015
【０１１４】
ノードＮｄｉは、以下の式のように、自身の更新された電力補正を計算する。
【数１４】
2014514809.tif 000016
ただし、γｉＤは、ノードＮｄｉのセルにおいてダウンリンク信号について許容することができる最小信号干渉プラス雑音比（ＳＩＮＲ）の閾値であり、Ｎ０は、ノードＮｄｉによって測定される雑音レベルである。受信電力ＰｊＤαｉ，ｕ，ｊとパス利得αｉ，ｕ，ｊは、移動端末ＭＴｉ，ｕにおいて直接測定することもできることに留意されたい。その場合、パラメータαｉ，ｕ，ｊと
【数１５】
2014514809.tif 000017
は、ステップＳ３０２において近隣に転送された上記他のパラメータである。
【０１１５】
本発明の別の実施形態では、ダウンリンクにおけるカバレッジの制約は、ノードＮｄｉによってサービングされる移動端末ＭＴが閾値γｉＤよりも低いＳＩＮＲを受ける多変量確率関数である
【数１６】
2014514809.tif 000018
に従って行われる。すなわち、ノードＮｄｉの送信電力は、以下の制約の下で最適化される。
【数１７】
2014514809.tif 000019
【０１１６】
ただし、確率は、移動端末ＭＴｉ，ｌの瞬時測定値αｉ，ｌ，ｊに従って定義されるか、又は格納されている以前の値に基づいて定義され、ＱｉＤは、例えば９９％に等しい目標サービス品質である。
【０１１７】
ノードＮｄｉは、各近隣ノードＮｄｊについて、以下の式を計算する。
【数１８】
2014514809.tif 000020
ただし、θｊｉＤ（ｙｉ）は、考慮されるＮｄｉを除く全てのエントリーが取得値
【数１９】
2014514809.tif 000021
に固定されているとき、関数
【数２０】
2014514809.tif 000022
に等しい。
【０１１８】
ノードＮｄｉは、以下の式の解に従って、自身の送信電力を更新する。
【数２１】
2014514809.tif 000023
【０１１９】
注目点として、関数φｊｉＤ（ｙｉＤ）は、ノードＮｄｉにおいて、ステップＳ３０５の間にノードＮｄｊから受信されたパラメータαｊ，ｌ，ｉから計算することができ、更新されたＰｉＤ値と共に数値計算によって取得することができる。
【０１２０】
ここで、一変形形態では、関数φｊｉＤ（ｙｉＤ）は、ステップＳ３０３の間に各近隣ノードＮｄｊが計算してノードＮｄｉに転送することもできることに留意されたい。
【０１２１】
次のステップＳ３１０において、プロセッサ２００は、求められた電力ＰｉＤを適用するために無線インターフェース２０５に指示する。
【０１２２】
次のステップＳ３１１において、プロセッサ２００は、ノードＮｄｉによってサービングされているか又は以前にサービングされていた少なくとも１つの移動端末ＭＴについてのイベントが存在するか否かを調べる。イベントは、例えば、移動端末ＭＴの電源オフ、又は移動端末ＭＴのハンドオーバ、又は移動端末ＭＴの電源オン、又は移動端末ＭＴと遠隔の通信デバイスとの間の通信の確立、又は移動端末ＭＴと遠隔の通信デバイスとの間の通信の解除である。
【０１２３】
少なくとも１つの移動端末ＭＴについてのイベントが存在する場合、プロセッサ２００はステップＳ３１２に進む。そうでない場合、プロセッサ２００は、ステップＳ３０８において求められたパラメータｔｉＤを転送するために、既述したステップＳ３０２に戻る。
【０１２４】
ステップＳ３１２において、プロセッサ２００は、パラメータｔｉＤを変更する。
【０１２５】
例えば、プロセッサ２００は、過度に古い各タイムスタンプに関連付けられているパラメータ値ｔｉＤを所定の値に設定する。例えば、パラメータ値ｔｉＤは、低い値、例えばパラメータ値ｔｉＤが取ることができる最大値の２０未満又はヌル値に設定される。
【０１２６】
その後、プロセッサ２００は、パラメータｔｉＤを転送するために、既述したステップＳ３０２に戻る。
【０１２７】
図４は、本発明による、各ノードによって実行されるアップリンク信号送信電力調整のアルゴリズムを開示している。
【０１２８】
アルゴリズムの開始前に、各ノードＮｄｉは、各移動端末ＭＴｉ，ｌを基準送信電力に設定する。ノードＮｄｉは、ノードＮｄｊの第ｌの移動端末から電力βｊ，ｌ，ｉを受信する。
【０１２９】
ステップＳ４００において、プロセッサ２００は、ノードＮｄｉの切り替えを検出する。ここで、ｉは電源オン状態になったノードＮｄｉのインデックスを示す。この状態においては、ノードＮｄｉは、自身のノードＮｄｉのセルＣＥＨＢに位置している移動端末ＭＴをサービングすることができる。
【０１３０】
次のステップＳ４０１において、プロセッサ２００は、ノードＮｄｉによってサービングされる移動端末ＭＴによって転送される無線信号に対して適用される電力補正を求めるために近隣ノードＮｄによって用いられるパラメータｔｉＵの初期値を、ＲＯＭメモリ内から読み取る。
【０１３１】
例えば、ノードＮｄｉのパラメータｔｉＵの初期値は、低い値、例えばパラメータｔｉＵが取ることができる最大値の２０未満に設定される。
【０１３２】
次のステップＳ４０２において、プロセッサ２００は、パラメータ値ｔｉＵを、ネットワークインターフェース２０６を通じてノードＮｄｉの近隣ノードＮｄｊに転送することを指示する。
【０１３３】
同じステップにおいて、プロセッサ２００は、以下で開示する他のパラメータｂｉβｉ，ｕ，ｊと
【数２２】
2014514809.tif 000024
を転送することを指示する。
【０１３４】
例えば、プロセッサ２００は、各近隣ノードＮｄを識別する情報をＲＡＭメモリ２０３内から読み取り、パラメータ値ｔｉＵと他のパラメータを、識別された各近隣ノードＮｄにバックボーンネットワーク及びネットワークインターフェース２０６を通じて転送することを指示する。
【０１３５】
第１の変形形態によれば、パラメータｔｉＵの計算は、セルＣＥＨＢｉ内の最悪のアップリンクＳＩＮＲに対応する移動端末ＭＴから受信されたパラメータに基づいて行われる
。
【０１３６】
本発明の第２の変形実現形態によれば、各近隣ノードＮｄを識別する情報は、ノードＮｄによってサービングされる移動端末ＭＴによって転送された測定報告から導出されるか、又はノードＮｄによってサービングされる移動端末ＭＴについて行われたハンドオーバを監視することによって導出される。
【０１３７】
本発明の第３の変形実現形態によれば、パラメータ値ｔｉＵと他のパラメータは、セルＣＥＨＢｉ内でブロードキャストされ、近隣ノードＮｄによって受信される。
【０１３８】
パラメータ値ｔｉＵと他のパラメータは、近隣ノードＮｄが直接受信することもできるし、ノードＮｄによってサービングされる移動端末ＭＴが復号して転送することもできる。
【０１３９】
本発明の第４の変形実現形態によれば、パラメータｔｉＵと他のパラメータは、ノードＮｄ間のブロードキャスト無線チャネルを通じて転送される。
【０１４０】
第４の変形形態の特定の実現態様によれば、パラメータｔｉＵと他のパラメータは、ランダムゴシップ手法を用いて転送される。
【０１４１】
その場合、全てのノードＮｄは、同一のリソースを用いてパラメータｔｉＵを送信又は受信する。
【０１４２】
各ノードＮｄは、自身の受信状態又は送信状態をランダムに選ぶ。
【０１４３】
次のステップＳ４０３において、プロセッサ２００は、各近隣ノードＮｄｊがそれぞれのセル内で転送するアップリンク信号を電力調整するために現在用いている各パラメータ値ｔｊＵの受信を検出する。各パラメータ値ｔｊＵは、ネットワークインターフェース２０６又は無線インターフェース２０５を通じて受信される。
【０１４４】
同じステップにおいて、プロセッサ２００は、以下で開示する他のパラメータ
【数２３】
2014514809.tif 000025
とｂｉβｉ，ｕ，ｊの受信を検出する。
【０１４５】
次のステップＳ４０５において、プロセッサ２００は、ノードＮｄｉと、当該ノードＮｄｉによってサービングされる各移動端末ＭＴとの間のアップリンク無線リンクに関連する少なくともパラメータを取得する。
【０１４６】
また、パラメータは、電力補正ｂｊがノードＮｄｊにおいて適用される際の、ノードＮｄｊによってサービングされる各移動端末Ｍｔｊ，ｌからのノードＮｄｉにおけるアップリンク受信電力ｂｊβｊ，ｌ，ｉを含むこともできる。ここで、ｌはノードＮｄｊによってサービングされる第ｌの移動端末のインデックスを示す。
【０１４７】
別の方法では、アップリンク受信電力ｂｊβｊ，ｌ，ｉは、以下で説明するようにノードＮｄｊにおいて計算され、パラメータとしてノードＮｄｊに転送される。
【０１４８】
アップリンクチャネルは、信号が移動端末ＭＴから当該移動端末ＭＴをサービングするノードＮｄに転送される無線リンクである。
【０１４９】
パラメータは、ノードＮｄｉの近隣ノードＮｄｊによってサービングされる移動端末によって転送される無線信号を調整するためにノードＮｄｉの近隣ノードＮｄｊによって用いられる電力補正パラメータｂｊを含む。
【０１５０】
パラメータは、例えば、Ｎｄｊのシステム情報ブロック（ＳＩＢ）で転送される、各近隣ノードＮｄｊを識別する情報を更に含むこともできる。
【０１５１】
ノードは、統計を構築し及び／又は近隣の状態の突然の変更を検出するために、受信された最新のパラメータをテーブル内に格納してこれら格納した値をｔｉＵパラメータの更新に用いるか、又は受信された瞬時のパラメータ値ｔｉＵのみを用いる。
【０１５２】
テーブルは、１つの近隣ノードから受信された複数の受信パラメータ値を、これら受信パラメータを送信したノードＮｄを識別する情報と相互にリンクする。
【０１５３】
テーブルは、受信された各パラメータ値ｔｉＵについて、各パラメータ値ｔｉＵの受信時刻を示すタイムスタンプを更に含むこともできる。
【０１５４】
次のステップＳ４０６において、プロセッサ２００は、少なくとも１つのパラメータ値ｔｉＵがステップＳ４０３において受信されていないか否かを調べる。
【０１５５】
プロセッサ２００は、例えば、テーブルに格納されているタイムスタンプが過度に古いか否かを確認することによって、少なくとも１つのパラメータ値ｔｊＵが受信されていないか否かを調べる。例えば、現在の時刻とタイムスタンプ値との間の差が、所定の値、例えば１分よりも大きいか否かを調べる。
【０１５６】
少なくとも１つのパラメータ値ｔｊＵがステップＳ４０５において受信されていなかった場合、プロセッサ２００はステップＳ４０７に進む。
【０１５７】
受信されている場合、プロセッサ２００はステップＳ４０８に進む。
【０１５８】
ステップＳ４０７において、プロセッサ２００は、過度に古い各タイムスタンプに関連付けられているパラメータ値ｔｊＵを所定の値に設定する。例えば、パラメータ値は、低い値、例えばパラメータ値ｔｊＵが取ることができる最大値の２０未満又はヌル値に設定される。
【０１５９】
その後、プロセッサ２００はステップＳ４０８に進む。
【０１６０】
ここで、一変形形態では、プロセッサ２００は、ステップＳ４０６を実行せず、ステップＳ４０５からステップＳ４０８に進むことに留意されたい。
【０１６１】
次のステップＳ４０８において、プロセッサ２００は、ノードＮｄｉ転送によってサービングされる移動端末ＭＴによって転送される無線信号の電力補正を設定するためにノードＮｄｉによって用いられるパラメータｔ’ｉＵを求める。
【０１６２】
例えば、パラメータ値ｔ’ｉＵは、少なくとも近隣ノードＮｄによって転送されるパラメータ値から、以下の式に従って求められる。
【数２４】
2014514809.tif 000026
ただし、Ωｉは、第ｉのノードＮｄｉの近隣ノードＮｄのインデックスの集合（濃度ｎｉ）であり、ｆ（）は、更新の処理を可能にするコンセンサス関数である。
【０１６３】
例えば、ｆ（）は、以下の式のように選ぶことができる。
【数２５】
2014514809.tif 000027
ただし、０＜μｉＵ＜１であり、μｉＵはアップリンク信号送信の時間減少関数とすることができる。ｂｉβｉ，ｌ，ｊは、第ｉのノードＮｄｉの第ｌのＭＴｌからの第ｊのノードＮｄｊによってアップリンクにおいて受信される電力である。ｂｊβｊ，ｕ，ｉは、第ｊのノードＮｄｊの第ｕの移動端末ＭＴｊ，ｕからの第ｉのノードＮｄｉによってアップリンクにおいて受信される電力であり、ノードＮｄｉのアップリンク上に最大の干渉を生成する。ｂｉβｉ，ｖ，ｉは、第ｉのノードＮｄｉの第ｖの移動端末ＭＴｉ，ｖからの第ｉのノードＮｄｉによってアップリンクにおいて受信される電力であり、ノードＮｄｉのアップリンク上で最も低い電力で受信される。
【０１６４】
パラメータｂｊは、ノードＮｄｊの移動端末ＭＴのサブセットに適用される電力補正である。移動端末ＭＴのサブセットは、最高干渉移動端末ＭＴ、すなわち近隣ノードに対して最も高い受信電力βｊ，ｌ，ｉを有する移動端末から選択される。
【０１６５】
受信電力ｂｊβｊ，ｌ，ｉは、ノードＮｄｉにおいて測定することもできるし、ノードＮｄｊにおいて、ダウンリンク測定パス利得αｊ，ｌ，ｉに端末ＭＴｊ、ｌの基準送信電力を乗算し、更に電力補正ｂｊを乗算したものから計算することもできる。以下では、ｂｊβｊ，ｕ，ｉは、βｊ，ｕ，ｉと共にＮｄｊにおいて計算されるものと仮定する。
【０１６６】
最後に、プロセッサ２００は、パラメータ値ｔｉＵをパラメータｔ’ｉＵに設定する。
【０１６７】
次のステップＳ４０９において、プロセッサ２００は、アップリンク補正パラメータｂｉを計算する。
【０１６８】
電力補正ｂｉは、例えば、その近隣ノードに基づくＧｉＵの最適化、すなわち以下の式を計算することによって求められる。
【数２６】
2014514809.tif 000028
【０１６９】
最小化は、ノードＮｄｉによってサービングされる移動端末ＭＴｉ，ｖが受ける最悪のアップリンクＳＩＮＲの最小許容値γｉＵによって表される、アップリンクにおけるカバレッジの制約の下、すなわち以下の式の下で行われる。
【数２７】
2014514809.tif 000029
【０１７０】
アップリンクチャネルの場合、最適化を処理するために、本発明は次のような対数バリア法を用いる。ノードＮｄｉは、取得されたパラメータ
【数２８】
2014514809.tif 000030
と、以前に求められたパラメータｔｉＵの関数として、パラメータλｉＵを計算する。
【数２９】
2014514809.tif 000031
及び
【数３０】
2014514809.tif 000032
【０１７１】
ノードＮｄｉは、自身の更新された電力補正を、取得されたパラメータｂｊβｊ，ｕ，ｉの関数として計算する。
【数３１】
2014514809.tif 000033
ただし、γｉＵは、アップリンクについてノードＮｄｉのセルにおいて許容することができる最小の信号干渉プラス雑音比（ＳＩＮＲ）の閾値であり、Ｎ０は、ノードＮｄｉによって測定される雑音レベルである。更新されたパラメータ
【数３２】
2014514809.tif 000034
とｂｉβｉ，ｕ，ｊは、ステップＳ４０２において近隣ノードＮｄｊに転送される。
【０１７２】
本発明の別の実施形態では、アップリンクにおけるカバレッジの制約は、ノードＮｄｉと通信する移動端末ＭＴが閾値γｉＵよりも低いＳＩＮＲを受ける多変量確率関数である
【数３３】
2014514809.tif 000035
に従って行われる。すなわち、ノードの送信電力は、以下の制約の下で最適化される。
【数３４】
2014514809.tif 000036
ただし、確率は、移動端末ＭＴｉ，ｌの瞬時測定値βｊ，ｌ，ｉに従って定義されるか、又は格納されている以前の値に基づいて定義され、ＱｉＵは目標サービス品質である。
【０１７３】
ノードＮｄｉは、各近隣ノードＮｄｊについて以下の式を計算する。
【数３５】
2014514809.tif 000037
ただし、θｊｉＵ（ｘｉ）は、考慮される近隣ノードＮｄｉを除く全てのエントリーが取得値
【数３６】
2014514809.tif 000038
に固定されているとき、関数
【数３７】
2014514809.tif 000039
に等しい。
【０１７４】
ノードＮｄｉは、以下の式の解に従って、自身の電力補正を更新する。
【数３８】
2014514809.tif 000040
【０１７５】
関数φｊｉＵ（ｘｉ）は、ノードＮｄｊにおいて計算してノードＮｄｉに送信することができ、更新されたｂｉ値と共に数値計算によって取得することができる。
【０１７６】
本発明の一変形形態では、長期の判定基準を考慮するために上述した測定値が格納され、電力補正計算はこれら格納された測定値に基づいて行われる。
【０１７７】
次のステップＳ４１０において、プロセッサ２００は、決定された電力ｂｉをノードＮｄｉによってサービングされる各移動端末又はノードＮｄｉによってサービングされる移動端末の選択されたサブセットに対して適用するために、無線インターフェース２０５に指示する。
【０１７８】
次のステップＳ４１１において、プロセッサ２００は、ノードＮｄｉによってサービングされているか又は以前にサービングされていた少なくとも１つの移動端末ＭＴについてのイベントが存在するか否かを調べる。イベントは、例えば、移動端末ＭＴの電源オフ、又は移動端末のハンドオーバ、又は移動端末ＭＴの電源オン、又は移動端末ＭＴと遠隔の通信デバイスとの間の通信の確立、又は移動端末ＭＴと遠隔の通信デバイスとの間の通信の解除である。
【０１７９】
少なくとも１つの移動端末ＭＴについてのイベントが存在する場合、プロセッサ２００は、ステップＳ４１２に進む。そうでない場合、プロセッサ２００は、求められたパラメータを転送するために、既述したステップＳ４０２に戻る。
【０１８０】
ステップＳ４１２において、プロセッサ２００は、パラメータｔｉＵを変更する。
【０１８１】
例えば、プロセッサ２００は、過度に古い各タイムスタンプに関連付けられているパラメータ値ｔｉＵを所定の値に設定する。例えば、パラメータ値ｔｉＵは、低い値、例えばパラメータ値ｔｉＵが取ることができる最大値の２０未満又はヌル値に設定される。
【０１８２】
その後、プロセッサ２００は、パラメータｔｉＵを転送するために、既述したステップＳ３０２に戻る。
【０１８３】
図５は、各ノードによって、自身が移動端末をサービングすることができない状態に移行するときに実行されるアルゴリズムを開示している。
【０１８４】
より正確には、本アルゴリズムは、図３及び／又は図４に開示したアルゴリズムと並列に各ノードＮｄのプロセッサ２００によって実行される。
【０１８５】
ステップＳ５００において、プロセッサ２００は、ノードＮｄｉの切り替えを検出する。ここで、ｉは電源オン状態になったノードＮｄｉのインデックスを示す。この状態においては、ノードＮｄｉは自身のセルＣＥＨＢに位置している移動端末ＭＴをサービングすることができない。
【０１８６】
次のステップＳ５０１において、プロセッサ２００は、各近隣ノードＮｄによってそれぞれのセルＣＥＨＢ内で転送する無線信号の電力を求めるために用いられるパラメータｔｉＤの最終値、及び／又は、各近隣ノードＮｄによって自身がサービングする移動端末ＭＴによって転送される無線信号の電力を求めるために用いられるパラメータｔｉＵの最終値を、ＲＯＭメモリ内から読み取る。
【０１８７】
例えば、ノードＮｄｉのパラメータｔｉＤの最終値及び／又はパラメータｔｉＵの最終値は、低い値、例えばパラメータｔｉＤ及び／又はｔｉＵが取ることができる最大値の２０未満又はヌル値に等しく設定されている。
【０１８８】
次のステップＳ５０２において、プロセッサ２００は、パラメータ値ｔｉＤ及び／又はｔｉＵを、ネットワークインターフェース２０６を通じて転送することを指示する。
【０１８９】
例えば、プロセッサ２００は、各近隣ノードＮｄを識別する情報をＲＡＭメモリ２０３内から読み取り、パラメータ値ｔｉＤ及び／又はｔｉＵを識別された各近隣ノードＮｄにバックボーンネットワーク及びネットワークインターフェース２０６を通じて転送することを指示する。
【０１９０】
当然のことながら、本発明の範囲から逸脱することなく、上述した本発明の実施形態に対して多くの変更を行うことができる。
【図１】
2014514809.tif 000041
【図２】
2014514809.tif 000042
【図３】
2014514809.tif 000043
【図４】
2014514809.tif 000044
【図５】
2014514809.tif 000045
【国際調査報告】
2014514809.tif 000046
2014514809.tif 000047
2014514809.tif 000048